(57)【要約】【課題】複数のＯＤＤを有するライブラリ装置１において、地震をはじめとする振動により、ディスク１５２が内蔵するディスク格納容器１５からライブラリ装置１の内部に脱落しないようにする。【解決手段】ディスク搬送部１３２の前面側から、前面パネル１８と背面パネル１９を経てディスク搬送部１３２の背面側に到るワイヤ１３２０Ａと１３２０Ｂを設け、当該ワイヤがディスク１５２の脱落を防止する。前記ワイヤのほか、ディスク搬送部１３２には４つのワイヤ固定部を、前面パネル１８と背面パネル１９には各４個の支持部を設ければ良いので、既存のディスク搬送機構を変更することなく、簡素な構成の脱落防止機構を得ることができる。【選択図】図４
2013149335.tif 000002
【特許請求の範囲】
【請求項１】
複数の記録媒体ドライブを有し、記録媒体である複数のディスクを格納する記録媒体格納容器が着脱されるライブラリ装置であって、
前記複数のディスクを当該ディスクの面を対向させ前記ライブラリ装置の奥行方向に並べて格納する記録媒体格納容器と、
当該記録媒体格納容器に格納された前記複数のディスクのうち、選択されたディスクを当該ディスクの面に略平行する方向に移動するディスク移動部と、
当該ディスク移動部により移動された前記ディスクが挿入されるディスク搬送部と、
当該ディスク搬送部を前記記録媒体格納容器に格納された前記ディスクの面に略直交する方向に移動して、前記ディスク搬送部を前記記録媒体ドライブに向けて移動する前記ディスク搬送部の移動部と、
前記ディスク搬送部が有する固定部に両端が固定され、一部が前記記録媒体格納容器に格納された前記複数のディスクの近傍に位置し、前記ディスクの前記記録媒体格納容器からの脱落を阻止する高さに位置する所定長のワイヤと
を有することを特徴とするライブラリ装置。
【請求項２】
請求項１に記載のライブラリ装置において、
前記ディスク搬送部の移動範囲の両端付近に、高さを違えて位置する前記ワイヤの支持部を各２個有し、当該２個の支持部において、第１の支持部は前記ディスク搬送部が有する対向する前記ワイヤの固定部と略同じ高さに設けられ、第２の支持部は前記ディスク移動部が前記ディスクを移動する際に前記ワイヤが前記ディスクに接触しない高さに設けられたことを特徴とするライブラリ装置。
【請求項３】
請求項２に記載のライブラリ装置において、
前記ディスク搬送部の移動範囲の両端付近に各々設けられた前記ライブラリ装置の外装パネルを有し、
前記第１の支持部の１個と第２の支持部の１個は第１の外装パネルに設けられ、前記第１の支持部の残る１個と第２の支持部の残る１個は第２の外装パネルに設けられたことを特徴とするライブラリ装置。
【請求項４】
請求項２に記載のライブラリ装置において、
前記支持部は、前記ワイヤの移動に伴い回転する回転自在な滑車であることを特徴とするライブラリ装置。
【請求項５】
請求項１に記載のライブラリ装置において、
複数の前記記録媒体ドライブが前記ディスク搬送部を挟んで対向して設けられ、２個の記録媒体格納容器、２個のディスク移動部、及び２個のワイヤが各１個ずつ前記ディスク搬送部を挟んで対向して設けられたことを特徴とするライブラリ装置。
【発明の詳細な説明】
【技術分野】
【０００１】
本発明は、複数の記録媒体が着脱自在に収容され、かつ当該記録媒体に対し情報データを書込み読出しするための記録媒体ドライブを有するライブラリ装置に係り、特に当該装置の内部における前記記録媒体の脱落を防止したライブラリ装置に関するものである。
【背景技術】
【０００２】
情報データを記録再生するための記録媒体として、着脱が可能である光ディスクを用いたストレージ装置が広く使われている。
光ディスクの記録容量は、最近のブルーレイディスクの普及と記録層の多層化により増加している。しかし、金融業界をはじめ多くの業界においては、大量のデータを長期にわたって保存する必要があるので、いっそうの記録容量の増加が望まれている。このため、データの長期保存に適した大容量のストレージ装置として、光ディスクライブラリ装置が開発されている。
【０００３】
光ディスクライブラリ装置は、複数の光ディスクを収容可能な収納部と光ディスクドライブ（以下、ＯＤＤ；Optical Disk Drive；と略記する）を内蔵する。当該ＯＤＤは、前記光ディスクに対し情報データを書込み、また読出しを行う。さらに、前記光ディスクライブラリ装置は、前記収納部に収納された光ディスクのいずれかを選択して前記ＯＤＤに対し装着し、また取外して前記収納部に収納するための搬送機構を有している。
特許文献１には、以上述べた光ディスクライブラリ装置（以下、ライブラリ装置と略記する）の一例が開示され、特にその冷却方法が開示されている。
【先行技術文献】
【特許文献】
【０００４】
【特許文献１】特願２０１１−２６３５３７号
【発明の概要】
【発明が解決しようとする課題】
【０００５】
前記ライブラリ装置は、業務用の用途で用いられることが多いため、光ディスクに書込んだ情報データの保存に対して、高い信頼性が要求される。従って、前記搬送機構によって光ディスクが搬送される途上においては勿論のこと、前記収納部に収納された状態においても、例えば地震による振動によって前記収納部からライブラリ装置内に脱落するような不具合を解消する必要がある。かかる事態により記録媒体が損傷し情報データを失うことのないよう、光ディスクを前記収納部に対して、例えばバネを用いて圧接させる機構を有する場合がある。
【０００６】
しかし、バネによる圧接力には限度があるほか、大きな圧接力によって光ディスクの形状が歪むことは望ましくない。地震をはじめとする外力により、光ディスクがライブラリ装置の内部に脱落することのないよう、いっそうの工夫が望まれている。
本発明の目的は前記した問題に鑑み、記録媒体の脱落を防止したライブラリ装置を提供することにある。
【課題を解決するための手段】
【０００７】
前記課題を解決するため本発明は、複数の記録媒体ドライブを有し、記録媒体である複数のディスクを格納する記録媒体格納容器が着脱されるライブラリ装置であって、前記複数のディスクを当該ディスクの面を対向させ奥行方向に並べて格納する記録媒体格納容器と、当該記録媒体格納容器に格納された前記複数のディスクのうち、選択されたディスクを当該ディスクの面に略平行する方向に移動するディスク移動部と、当該ディスク移動部により移動された前記ディスクが挿入されるディスク搬送部と、当該ディスク搬送部を前記記録媒体格納容器に格納された前記ディスクの面に略直交する方向に移動して、前記ディスク搬送部を前記記録媒体ドライブに向けて移動する前記ディスク搬送部の移動部と、前記ディスク搬送部が有する固定部に両端が固定され、一部が前記記録媒体格納容器に格納された前記複数のディスクの近傍に位置し、前記ディスクの前記記録媒体格納容器からの脱落を阻止する高さに位置する所定長のワイヤを有することを特徴としている。
【発明の効果】
【０００８】
本発明によれば、記録媒体の脱落を防止したライブラリ装置を提供でき、当該装置の信頼性の向上に寄与できるという効果がある。
【図面の簡単な説明】
【０００９】
【図１】一実施例におけるライブラリ装置の正面側の概観図である。
【図２】一実施例におけるライブラリ装置の背面側の概観図である。
【図３】一実施例におけるライブラリ装置のブロック図である。
【図４】一実施例におけるライブラリ装置の脱落防止機構に係る第１の概観図である。
【図５】一実施例におけるライブラリ装置の脱落防止機構に係る第２の概観図である。
【発明を実施するための形態】
【００１０】
以下、本発明の実施例につき図面を用いて説明する。まず、ライブラリ装置の構造と動作の概要を説明する。
周知のとおり、ＯＤＤが使用する記録媒体は、ドライブに対して着脱できる光ディスクである。光ディスクには、例えばＣＤ（Compact Disk）、ＤＶＤ（Digital Versatile Disk）、ＢＤ（Blu-ray Disk）がある。また光ディスクには、データの読出しのみができるＲＯＭ型（例えばＣＤ−ＲＯＭ）、一回のみデータの書込みができるＲ型（例えばＢＤ−Ｒ）、データの書換えができるＲＷ、ＲＡＭ、又はＲＥ型（例えばＢＤ−ＲＥ）がある。本実施例においては、これら全ての光ディスクを使用できるライブラリ装置であっても良く、また一部の光ディスクを使用するライブラリ装置であっても良い。
以下の説明では、光ディスクを単にディスクと記載する。
【００１１】
図１は、一実施例におけるライブラリ装置１の正面側の概観図である。ここでは、ライブラリ装置１の一部の外装を除去し、正面斜め上側から見た状態を示している。ここで言う正面側とは、ディスク格納容器の出入口１５１のある側を指している。
ライブラリ装置１に対して着脱できるディスク格納容器１５は、ディスク格納容器の出入口１５１からライブラリ装置１の奥行方向に挿入され、また排出される。ディスク格納容器１５は、前記したディスクの収納部に相当する。挿入と排出の動作はユーザが手動で行っても良く、ライブラリ装置１がある程度の電動アシスト動作を行っても良い。ディスク格納容器１５には、ディスク１５２を複数（例えば数百枚程度）搭載することができる。図１では一例として、複数のディスク１５２が互いにレーベル面と記録面を対向させながら、略垂直に立てて搭載される場合を示している。この場合、ディスク格納容器１５の内部の底面には、ディスク１５２を位置決めするためのスリット（図示せず）を設けると良い。なお、光ディスクは片面記録ディスクに限らず、両面記録ディスクであっても良い。
【００１２】
ここでは、後記するディスク搬送部１３２を挟んで左右両側に２個のディスク格納容器１５が使用される例を示している。これは一例であって、例えば１個であっても良い。また２個の場合では、いずれか一方のみを挿入した状態であっても、ライブラリ装置１は目的とした動作を行うことができる。
ディスク格納容器１５がライブラリ装置１に装着されると、その奥行側の先端はディスク記録再生部１２の近辺に位置する。
【００１３】
ディスク記録再生部１２は、ディスク格納容器１５と同様に、ディスク搬送部１３２を挟んで左右両側に２個設けられている。ディスク記録再生部１２は記録媒体ドライブとしてＯＤＤを有する。各ディスク記録再生部１２が有するＯＤＤは１個でも良いが、動作速度を高めるためには複数（例えば数個程度）であると良い。各ＯＤＤは周知のとおり、装着されたディスク１５２をスピンドルモータ（図示せず）で回転させ、光ピックアップを用いてデータを記録し、又は再生する。
【００１４】
ディスク移動部１３１、ディスク搬送部１３２、及びディスク搬送部の移動部１３３は、ディスク記録再生部１２とディスク格納容器１５との間でディスク１５２を搬送するための構成要素である。ディスク搬送部の移動部１３３は、例えばモータとギア（図示していないが、場所、形状とも特に限定されない）を介してディスク移動部１３１とディスク搬送部１３２を奥行方向に移動させる。
まず、ディスク１５２をディスク格納容器１５からディスク記録再生部１２へ搬送する場合を述べる。
【００１５】
後記するディスク搬送制御部１３からの指示に基づき、ディスク搬送部の移動部１３３は前記指示に対応するディスクが格納されたディスク格納容器１５のスリットの位置に、ディスク移動部１３１とディスク搬送部１３２を移動させる。次いでディスク移動部１３１が、例えばモータとギア（図示していないが、ディスク搬送部１３２が有しても良い）を介して移動されることにより、前記指示に対応したディスクをディスク格納容器１５からディスク搬送部１３２の内部に挿入する。
【００１６】
次いで前記したディスク搬送制御部１３からの指示に基づき、ディスク搬送部の移動部１３３は、ディスク記録再生部１２が有するＯＤＤのうち前記指示に対応するＯＤＤの位置に、ディスク移動部１３１とディスク搬送部１３２を移動させる。さらに、ディスク搬送部１３２内部の図示しないディスク移動機構が、例えばモータとギアを介して移動されることにより、搬送するディスクをディスク搬送部１３２から前記ＯＤＤの内部に移動する。これにより、ディスク記録再生部１２は、新たに搬送されたディスクに対してデータの記録又は再生を行うことができる。
【００１７】
次に、ディスク１５２をディスク記録再生部１２からディスク格納容器１５へ搬送する場合を述べる。
ディスク搬送制御部１３からの指示に基づき、ディスク搬送部の移動部１３３は前記指示に対応するディスクが格納されたディスク記録再生部１２のＯＤＤの位置に、ディスク移動部１３１とディスク搬送部１３２を移動させる。次いでディスク搬送部１３２内部の図示しないディスク移動機構が、例えばモータとギアを介して移動されることにより、前記指示に対応したディスクを前記ＯＤＤからディスク搬送部１３２の内部に挿入する。
【００１８】
次いで前記したディスク搬送制御部１３からの指示に基づき、ディスク搬送部の移動部１３３は、ディスク格納容器１５が有するスリットのうち前記指示に対応するスリットの位置に、ディスク移動部１３１とディスク搬送部１３２を移動させる。さらに、ディスク搬送部１３２内部の図示しないディスク移動機構が、例えばモータとギアを介して移動されることにより、搬送するディスクをディスク搬送部１３２からディスク格納容器１５の内部に移動する。これにより、ディスク記録再生部１２での動作を終えたディスクは、ディスク格納容器１５の内部に再び格納される。
【００１９】
以上のように動作することによりライブラリ装置１は、多数のディスクに対して高速のアクセスを行うことができ、大容量のデータを取扱うユーザに対する使い勝手を向上している。
なお、図１において例えば向かって右側のディスク格納容器１５に収納されたディスクがディスク搬送部１３２によりディスク記録再生部１２に搬送された際、左右いずれのディスク記録再生部１２のＯＤＤに装着されるかは任意に設定できる。また、各ディスクに対するディスク格納容器１５における格納位置を任意に設定することもでき、逆に一箇所に固定することもできる。これは、先のディスク搬送制御部１３の指示により決定される。
【００２０】
また、ディスク格納容器１５に対して新しいディスクを格納する際には、ディスク格納容器１５を出入口１５１から取出して、ユーザが手動で格納すると良い。
前面パネル１８は、ライブラリ装置１の前面の全体を覆う形状であっても良く、前面の中央部が周辺から分離された形状であっても良い。
なお、図１においてはこれまでに述べた構成要素のほか、ワイヤ１３２０Ａ、固定部１３２１Ａが示されているが、これらについては、後に図４と図５を用いて詳しく説明する。
【００２１】
図２は、一実施例におけるライブラリ装置１の背面側の概観図である。ここではライブラリ装置１の一部の外装を除去し、図１とは異なり、背面斜め上側から見た状態を示している。
図１で既に述べた構成要素については、説明を繰返さない。
ライブラリ装置１の背面には、複数の冷却ファン１４１が設けられている。ここでは８個の冷却ファン１４１が示されているが、もちろんこれは本実施例の限定条件ではない。また、外部装置接続端子１６は後記する上位制御装置（ホスト装置）２とのインタフェースである。電源端子１７はライブラリ装置１を動作させるための商用電源、又は直流電源の供給端子であり、安全のための回路開閉器を伴うことが多い。
【００２２】
ライブラリ装置１は前記したように複数のディスク記録再生部１２を有し、また多様な動作を制御するためのＣＰＵ（Central Processing Unit）、高度な信号処理を行うＤＳＰ（Digital Signal Processor）を有する。このため、ディスク記録再生部１２のほか、多くの回路部品が設けられる背面側には、これらが発生した熱を外部に放出するための冷却ファン１４１が設けられる。また、回路基板、及びディスク記録再生部１２の各ＯＤＤは、冷却ファン１４１が起こす冷却風が効率良く巡るように配置される。
【００２３】
冷却ファンの回転数は、後記する冷却ファン制御部１４が冷却ファン１４１の回転数を制御することで決定される。冷却ファン制御部１４は、前記したディスク搬送制御部１３、後記する下位制御部１１（上位制御装置２から制御を受けるので下位制御部と称し、ライブラリ装置１の全体を制御する。以下、単に制御部と呼ぶこともある。）とともに、ライブラリ装置１の背面パネル１９の近傍に設けられることが多い。このため図１と図２では、これら３個の制御部の符号につき、背面パネルの符号１９に括弧を付けて記した。ディスク搬送制御部１３と冷却ファン制御部１４は、下位制御部１１により統括されて制御される。
背面パネル１９は、ライブラリ装置１の背面の全体を覆う形状であっても良く、背面の中央部が周辺から分離された形状であっても良い。
【００２４】
前記した３個の制御部１１、１３、１４は同じ半導体チップ上に集積されても良い。実際には図１と図２に示した構成要素では、図示する以外にも固有の制御部を有することがある。いずれの制御部も下位制御部１１により統括されて制御されるが、やはり下位制御部１１と同じ半導体チップ上に集積されても良い。
なお、図２においてはこれまでに述べた構成要素のほか、ワイヤ１３２０Ｂ、固定部１３２２Ｂ、支持部１８１Ｂ１と１８１Ｂ２が示されているが、これらについては、後に図４と図５を用いて詳しく説明する。
【００２５】
次に、ライブラリ装置１の全体の電気回路的な構成について説明する。
図３は、一実施例におけるライブラリ装置１のブロック図である。先の図１と図２に示した構成要素に対応する構成要素には、同じ符号を付している。
ライブラリ装置１は、ライブラリ装置１の全体の動作を制御する下位制御部１１を有する。下位制御部１１は、先の外部装置接続端子１６を介して上位制御装置２に接続されており、上位制御装置２から動作指令が与えられる。当該動作指令に応じて、例えばディスク記録再生部１２で読取られたデータを上位制御装置２に供給する。或いは上位制御装置２から供給されたデータをディスク記録再生部１２においてディスクに書込む。上位制御装置２と下位制御部１１の間は、イーサネット（登録商標）をはじめとするネットワークを介して接続されることが多い。この場合に上位制御装置２は、離れた位置にある複数のライブラリ装置１を統括するホスト装置として機能することができる。
【００２６】
下位制御部１１は、ディスク搬送制御部１３に指示して、ディスク移動部１３１、ディスク搬送部１３２、及びディスク搬送部の移動部１３３を動作させ、ディスク記録再生部１２とディスク格納容器１５との間でディスク１５２を搬送する。それらの動作の詳細は、既に図１を用いて説明済みであるので繰返さない。
また下位制御部１１は、冷却ファン制御部１４に指示して冷却ファン１４１を回転させる。また、冷却ファン１４１の回転数を計測するための回転数計測部１４２が設けられている。冷却ファン制御部１４は、回転数計測部１４２から供給された回転数の計測値が下位制御部１１からの指示に適合するよう、冷却ファン１４１の回転数を制御する。
【００２７】
さらに下位制御部１１は、上位制御装置２から与えられた指示に応じ、前記したようにディスク記録再生部１２を制御する。また、ディスク記録再生部１２が備える温度測定部１２１からディスク記録再生部１２の内部温度の測定値が供給されている。さらに下位制御部１１も温度測定部１１１を備えており、自分自身の温度の測定値が供給されている。これら温度の測定値に基づき、下位制御部１１は冷却ファン制御部１４への指示を生成し、冷却効果を適宜調整する。例えば、温度測定部１１１と１２１での温度の測定結果に基づき、冷却ファン制御部１４は、温度の高い構成要素に対する冷却効果を上げるよう、各冷却ファン１４１の位置に応じた回転数の制御を行う。
【００２８】
次に、本実施例の一つの特徴であるディスク１５２の脱落防止のための機構について説明する。
図４は、一実施例におけるライブラリ装置の脱落防止機構に係る第１の概観図であり、先の図１と同様にライブラリ装置の正面側から描いている。
図５は、一実施例におけるライブラリ装置の脱落防止機構に係る第２の概観図であり、先の図２と同様にライブラリ装置の背面側から描いている。
【００２９】
図４、図５とも脱落防止機構を明確に表わすため、図１、図２とは異なる描き方をしている。例えば、ディスク記録再生部１２は除去され、正面パネル１８、背面パネル１９、ディスク搬送部の移動部１３３は一部のみを示している。また、正面パネル１８と背面パネル１９は仮に透視できるものとし、支持部である１８１Ａ１、１８１Ａ２、１８１Ｂ１、１８１Ｂ２、１９１Ａ１、１９１Ａ２、１９１Ｂ１、１９１Ｂ２が、図４と図５のいずれにおいても示されるようにしている。両方向の矢印は、ディスク搬送部１３２が移動する方向を示す。
【００３０】
図４及び図５においてワイヤ１３２０Ａは、図４のワイヤの固定部１３２１Ａからワイヤの支持部１８１Ａ１、１８１Ａ２、１９１Ａ２、１９１Ａ１を介して、図５のワイヤの固定部１３２２Ａに到る１つのワイヤである。また、図４及び図５においてワイヤ１３２０Ｂは、図４のワイヤの固定部１３２１Ｂからワイヤの支持部１８１Ｂ１、１８１Ｂ２、１９１Ｂ２、１９１Ｂ１を介して、図５のワイヤの固定部１３２２Ｂに到る１つのワイヤである。
ワイヤ１３２０Ａと１３２０Ｂの材料は、前記した８箇所の支持部で折れ曲がるに適し、引っ張り方向には伸びの少ない材料であれば、ピアノ線をはじめとする金属ワイヤ、ナイロン線をはじめとする化合物ワイヤなど、特に限定されない。ワイヤ１３２０Ａと１３２０Ｂの長さは、若干の伸縮を無視すればディスク搬送部１３２の位置に係らず一定である。
【００３１】
ワイヤ１３２０Ａと１３２０Ｂの両端は、ディスク搬送部１３２の側面に固定部１３２１Ａ、１３２１Ｂ、１３２２Ａ、１３２２Ｂにより固定される。これら４つの固定部は、図４と図５では、ディスク搬送部１３２の正面側と背面側の側面に設けられているが、ディスク収納容器１５に面した側面に設けることもできる。また、これらの固定部はネジ、接着剤をはじめとした多様な固定部材のいずれであっても良い。
支持部１８１Ａ１、１８１Ａ２、１８１Ｂ１、１８１Ｂ２、１９１Ａ１、１９１Ａ２、１９１Ｂ１、１９１Ｂ２は、ディスク搬送部１３２の移動に伴って移動するワイヤ１３２０Ａ、１３２０Ｂを折り曲げ、かつ少ない抵抗で支持するように作用する。例えば金属、またはプラスチックを材料とした回転自在な滑車であると良い。
【００３２】
ライブラリ装置１の底面に近い４つの支持部１８１Ａ２、１８１Ｂ２、１９１Ａ２、１９１Ｂ２は互いに高さが同等であって良い。また、その高さは、ディスク格納容器１５とディスク搬送部１３２の間をディスク１５２が移動する際に、ワイヤ１３２０Ａ、１３２０Ｂのうち底面に近い側に位置する部分が、ディスク１５２のライブラリ装置１における底面側の外周部に接触しない程度の高さとされる。
残る４つの支持部１８１Ａ１、１８１Ｂ１、１９１Ａ１、１９１Ｂ１は、前記した４つの固定部１３２１Ａ、１３２１Ｂ、１３２２Ａ、１３２２Ｂと互いに高さが同等であって良い。また、その高さは、例えば地震による振動によりディスク１５２が例えばディスク格納容器１５における位置決めするためのスリットから外れた際に、ワイヤ１３２０Ａ、１３２０Ｂのうち底面から遠い側に位置する部分が当該ディスクの外周部に接触することにより、ディスク１５２をライブラリ装置１の内部に脱落させない高さとされる。
【００３３】
このため、４つの支持部１８１Ａ１、１８１Ｂ１、１９１Ａ１、１９１Ｂ１と、４つの支持部１８１Ａ２、１８１Ｂ２、１９１Ａ２、１９１Ｂ２の高さの差は、ライブラリ装置１の高さにもよるが、例えばディスク１５２の外径の６０％から８０％程度とすることで、目的を達成できる場合が多い。
以上述べたように、ワイヤ１３２０Ａと１３２０Ｂを含む脱落防止機構を設けたことにより、本実施例では例えば振動によりディスク１５２がディスク格納容器１５からライブラリ装置１の内部に脱落して損傷する問題を解消している。なお、ディスク搬送部１３２とディスク格納容器１５の間には、ワイヤ１３２０Ａと１３２０Ｂを通すスペースは充分にある。さらに、８つの支持部は例えば前面パネル１８、背面パネル１９に取付ければ良く、４つの固定部はディスク搬送部１３２に設ければ良い。いずれも小型の部品で良いため、ライブラリ装置１のディスク搬送機構における既存の構造物の大きさ、レイアウト及び動作を変更する必要がないという、一つの特徴がある。また、ディスク移動部１３１が動作する際に、前記脱落防止機構が障害となる恐れがないという、一つの特徴もある。
【００３４】
本実施例におけるディスク１５２の脱落防止機構に関する特徴について、さらに説明する。まず、固定部１３２１Ａから１３２２Ａに到るワイヤ１３２０Ａと、固定部１３２１Ｂから１３２２Ｂに到るワイヤ１３２０Ｂとのいずれもが、その全長がディスク搬送部１３２の位置に係りなく一定である。このため、例えばディスク搬送部１３２の位置に応じたワイヤ１３２０Ａ及び１３２０Ｂの巻取り機構は不要である。また、ディスク搬送部の移動部１３３の作用により、ディスク搬送部１３２とともにワイヤ１３２０Ａと１３２０Ｂも駆動することができ、例えばワイヤ１３２０Ａと１３２０Ｂを直接駆動し、或いは１８１Ａ１をはじめとする８つの支持部を回転駆動するための、新たな駆動機構の追加は不要である。このため、前記した脱落防止機構を簡素に実現できるという、一つの特徴がある。
ここまで示した実施形態は一例であって、本発明を限定するものではない。本発明の趣旨に基づきながら異なる実施形態を考えられるが、いずれも本発明の範疇にある。
【符号の説明】
【００３５】
１：ライブラリ装置、２：上位制御装置、１１：下位制御部、１２：ディスク記録再生部、１３：ディスク搬送制御部、１４：冷却ファン制御部、１５：ディスク格納容器、１６：外部装置接続端子、１７：電源供給端子、１１１，１２１：温度測定部、１３１：ディスク移動部、１３２：ディスク搬送部、１３３：ディスク搬送部の移動部、１４１：冷却ファン、１４２：回転数計測部、１５１：ディスク格納容器の出入口、１５２：ディスク、１８：前面パネル、１９：背面パネル、１３２０Ａ，１３２０Ｂ：ワイヤ、１３２１Ａ，１３２１Ｂ，１３２２Ａ，１３２２Ｂ：固定部、１８１Ａ１，１８１Ａ２，１８１Ｂ１，１８１Ｂ２，１９１Ａ１，１９１Ａ２，１９１Ｂ１，１９１Ｂ２：支持部。
【図１】
2013149335.tif 000003
【図２】
2013149335.tif 000004
【図３】
2013149335.tif 000005
【図４】
2013149335.tif 000006
【図５】
2013149335.tif 000007